(57)【要約】【課題】付勢部材によるノブ側電極とハウジング側電極の衝突時の衝撃を和らげ、打音の発生を抑えることができるスイッチユニットを提供する。【解決手段】ノブ本体４に設けた第１当接部４７Ａ、４７Ｂが、コンタクト５が節度山８２の頂部を乗り越えた後電極７Ａ、７Ｂに接する前に、コンタクト５に当接する。ハウジング８に設けた第２当接部８５Ａ、８５Ｂが、ノブ本体４を揺動させたとき、ノブ本体４に当接し、ノブ本体４に設けた第１当接部４７Ａ、４７Ｂがコンタクト５を節度山８２に向けて付勢するように、ノブ本体４を付勢する。【選択図】図７
2016054090.tif 000002
【特許請求の範囲】
【請求項１】
支持体と、前記支持体に揺動可能に支持されたノブ本体と、前記ノブ本体に取り付けられたノブ側電極と、前記ノブ側電極に向かって突出する絶縁性の節度山が設けられたハウジングと、前記節度山に対して前記ノブ本体の揺動方向一方側に配置されるように前記ハウジングに保持されたハウジング側電極と、前記ノブ本体と前記ノブ側電極との間に設けられ、前記ノブ側電極を前記ハウジング側電極に向かって付勢する付勢部材と、を備え、前記ノブ本体を揺動させると、前記ノブ側電極が前記節度山を乗り越えて前記ハウジング側電極に接離するように切り替えられるユニットスイッチにおいて、
前記ノブ本体を揺動させて、前記ノブ側電極が前記節度山の頂部を乗り越えた後前記ハウジング側電極に接する前に、前記ノブ側電極を前記節度山に向けて付勢する付勢手段を備えた
ことを特徴とするスイッチユニット。
【請求項２】
前記付勢手段が、
前記ノブ本体に設けられ、前記ノブ側電極が前記節度山の頂部を乗り越えた後前記ハウジング側電極に接する前に、前記ノブ側電極に当接する第１当接部と、
前記支持体又は前記ハウジングに設けられ、前記ノブ本体を揺動させたとき、前記ノブ本体に当接し、前記ノブ本体に設けた第１当接部が前記ノブ側電極を前記節度山に向けて付勢するように、前記ノブ本体を付勢する第２当接部と、から構成されている
ことを特徴とする請求項１に記載のスイッチユニット。
【請求項３】
前記第１当接部、前記ノブ側電極の前記第１当接部と当接する部分、前記第２当接部、前記ノブ本体の前記第２当接部と当接する部分の少なくとも１つには、当接した後、弾性変形して付勢力を発生する弾性変形部が設けられている
ことを特徴とする請求項２に記載のスイッチユニット。
【発明の詳細な説明】
【技術分野】
【０００１】
本発明は、スイッチユニットに係り、特に、シーソ型のスイッチユニットに関するものである。
【背景技術】
【０００２】
従来より、様々なシーソ型のスイッチユニットが提案されている（特許文献１〜４）。特許文献１に記載のスイッチユニットは、スイッチノブと、スイッチノブを揺動自在に支持するスイッチレバーと、ハウジングと、を備えて構成され、スイッチレバーは、スイッチノブが操作されて揺動することにより、ハウジングに収容されたバスバと接触する導電性の接点を有し、接点はスイッチノブが操作される方向と直交する方向に沿って設けられたばねによりバスバ側に付勢され、接点とバスバとが対向した際に当接して導通させるようになっている。
【０００３】
しかしながら、特許文献１に記載されたスイッチユニットは、接点及びバスバの表面において、徐々に酸化被膜が形成され、酸化被膜が形成された部分は導電性が低くなるため、長期間使用している場合に、接点とバスバとの間の導通が不安定になりやすいという問題があった。
【０００４】
このような問題を解決するために、出願人は、上述したシーソ型のスイッチとして、図１４に示すものを提案した（特願２０１３−２６２３０８号）。同図に示すように、スイッチユニット１００においては、ケース本体１０１に対して揺動可能にノブ本体１０２が軸支されている。このノブ本体１０２には、スプリング１０６を介してコンタクト１０３（ノブ側電極）が取り付けられている。また、ケース本体１０１には、絶縁性の節度山１０４を挟んで設けられた一対のバスバ１０５ａ、１０５ｂ（ハウジング側電極）が収容されている。
【０００５】
上述したスイッチユニット１００によれば、例えば、ノブ本体１０２を操作して矢印Ｙ１に示す方向に揺動させると、コンタクト１０３が節度山１０４を乗り越えてバスバ１０５ａからバスバ１０５ｂに切り替えて接触するように設けられている。コンタクト１０３は、ノブ本体１０２の揺動に伴ってバスバ１０５ａ、１０５ｂを摺接するため、酸化被膜を除去することができる。
【先行技術文献】
【特許文献】
【０００６】
【特許文献１】特開２００８−９１２１２号公報
【特許文献２】特開２００４−１４６１２８号公報
【特許文献３】特開平２−８７３３９号公報
【特許文献４】特開２０１２−１４２１４７号公報
【発明の概要】
【発明が解決しようとする課題】
【０００７】
しかしながら、上述したスイッチユニット１００は、ノブ本体１０２の操作時にコンタクト１０３が節度山１０４の頂部を乗り越えた後、コンタクト１０３とバスバ１０５ａ、１０５ｂがスプリング１０６の荷重により勢いよく接触するため、大きな打音が発生し、高級感を損なう、という問題があった。
【０００８】
そこで、本発明は、付勢部材によるノブ側電極とハウジング側電極の衝突時の衝撃を和らげ、打音の発生を抑えることができるスイッチユニットを提供することを課題とする。
【課題を解決するための手段】
【０００９】
上述した課題を解決するためになされた請求項１記載の発明は、支持体と、前記支持体に揺動可能に支持されたノブ本体と、前記ノブ本体に取り付けられたノブ側電極と、前記ノブ側電極に向かって突出する絶縁性の節度山が設けられたハウジングと、前記節度山に対して前記ノブ本体の揺動方向一方側に配置されるように前記ハウジングに保持されたハウジング側電極と、前記ノブ本体と前記ノブ側電極との間に設けられ、前記ノブ側電極を前記ハウジング側電極に向かって付勢する付勢部材と、を備え、前記ノブ本体を揺動させると、前記ノブ側電極が前記節度山を乗り越えて前記ハウジング側電極に接離するように切り替えられるユニットスイッチにおいて、前記ノブ本体を揺動させて、前記ノブ側電極が前記節度山の頂部を乗り越えた後前記ハウジング側電極に接する前に、前記ノブ側電極を前記節度山に向けて付勢する付勢手段を備えたことを特徴とするスイッチユニットに存する。
【００１０】
請求項２記載の発明は、前記付勢手段が、前記ノブ本体に設けられ、前記ノブ側電極が前記節度山の頂部を乗り越えた後前記ハウジング側電極に接する前に、前記ノブ側電極に当接する第１当接部と、前記支持体又は前記ハウジングに設けられ、前記ノブ本体を揺動させたとき、前記ノブ本体に当接し、前記ノブ本体に設けた第１当接部が前記ノブ側電極を前記節度山に向けて付勢するように、前記ノブ本体を付勢する第２当接部と、から構成されていることを特徴とする請求項１に記載のスイッチユニットに存する。
【００１１】
請求項３記載の発明は、前記第１当接部、前記ノブ側電極の前記第１当接部と当接する部分、前記第２当接部、前記ノブ本体の前記第２当接部と当接する部分の少なくとも１つには、当接した後、弾性変形して付勢力を発生する弾性変形部が設けられていることを特徴とする請求項２に記載のスイッチユニットに存する。
【発明の効果】
【００１２】
以上説明したように請求項１記載の発明によれば、付勢手段が、ノブ本体を揺動させて、ノブ側電極が節度山の頂部を乗り越えた後前記ハウジングに接触する前に、ノブ側電極を節度山に向けて付勢する。これにより、付勢部材によるノブ側電極とハウジング側電極の衝突時の衝撃を和らげ、打音の発生を抑えることができる。
【００１３】
請求項２記載の発明によれば、付勢手段が、ノブ本体に設けられた第１当接部と、支持体又はハウジングに設けられた第２当接部と、から構成されている。これにより、簡単な構成でノブ側電極を節度山に向けて付勢することができる。
【００１４】
請求項３記載の発明によれば、弾性変形部を設けることにより、より一層、付勢部材によるノブ側電極とハウジング側電極の衝突時の衝撃を和らげ、打音の発生を抑えることができる。また、弾性変形を調整することで、ノブ本体の停止位置とスイッチ操作のフィーリングを調整することが可能となる。
【図面の簡単な説明】
【００１５】
【図１】本発明の一実施の形態にかかるスイッチユニットを示す斜視図である。
【図２】図１に示すスイッチユニットの分解斜視図である。
【図３】（Ａ）は図２に示す押圧操作部の他方が押された状態を示す図であり、（Ｂ）は図２に示す押圧操作部の一方が押された状態を示す図である。
【図４】第１実施形態における図３（Ａ）のＩＩ−ＩＩ線断面図である。
【図５】第１実施形態において、操作ユニットが揺動されて図３（Ａ）に示す状態から図３（Ｂ）に示す状態に遷移する途中の状態を示す断面図であって、コンタクトが節度山を越える前の状態を示す断面図である。
【図６】（Ａ）は、図５の動作に続く断面図であって、コンタクトの先端部が節度山の頂部に接した状態を示す断面図であり、（Ｂ）は（Ａ）の要部拡大図である。
【図７】（Ａ）は、図６の動作に続く断面図であって、コンタクトの先端部が節度山の頂部を乗り越えた後、電極に接する前の状態を示す断面図であり、（Ｂ）（Ｃ）は（Ａ）の要部拡大図である。
【図８】第１実施形態における図３（Ｂ）のＩ−Ｉ線断面図であり、（Ｂ）（Ｃ）は（Ａ）の要部拡大図である。
【図９】第２実施形態における図３（Ａ）のＩＩ−ＩＩ線断面図である。
【図１０】第２実施形態において、操作ユニットが揺動されて図３（Ａ）に示す状態から図３（Ｂ）に示す状態に遷移する途中の状態を示す断面図であって、コンタクトが節度山を越える前の状態を示す断面図である。
【図１１】（Ａ）は、図１０の動作に続く断面図であって、コンタクトの先端部が節度山の頂部に接した状態を示す断面図であり、（Ｂ）は（Ａ）の要部拡大図である。
【図１２】（Ａ）は、図１１の動作に続く断面図であって、コンタクトの先端部が節度山の頂部を乗り越えた後、電極に接する前の状態を示す断面図であり、（Ｂ）（Ｃ）は（Ａ）の要部拡大図である。
【図１３】第１実施形態における図３（Ｂ）のＩ−Ｉ線断面図であり、（Ｂ）（Ｃ）は（Ａ）の要部拡大図である。
【図１４】従来のスイッチユニットの一例を示す断面図である。
【発明を実施するための形態】
【００１６】
（第１実施形態）
本発明の第１実施形態に係るスイッチユニットを、図１〜図８を参照して説明する。このスイッチユニット１は、例えば車室内に設けられるとともに、電気回路を切り替えて照明バルブＬを点灯又は消灯させるものである。
【００１７】
本実施形態のスイッチユニット１は、図１、図２に示すように、ケース体２と、ケース体２に揺動可能に支持される操作ユニット３と、照明バルブＬの電気回路（不図示）に接続されるとともに、操作ユニット３のコンタクト（ノブ側電極）５に接続される一対の電極７Ａ、７Ｂ（ハウジング側電極）と、一対の電極７Ａ、７Ｂを保持するハウジング８と、を有して構成されている。スイッチユニット１は、操作ユニット３が揺動した際に、コンタクト５が一対の電極７Ａ、７Ｂのうち一方から他方に切り替えて接触されるように、言い換えるとコンタクト５が電極７Ａ、７Ｂに接離して切り替えるように構成されている。このコンタクト５の切り替えによって、照明バルブＬが点灯又は消灯する。
【００１８】
ケース体２は、照明バルブＬを収容する下方に開口した箱状のケース本体２１と、ケース本体２１の開口を覆う蓋体２２と、蓋体２２に設けられて操作ユニット３を揺動可能に支持する支持体２３と、を備え、蓋体２２を車室内側に面するように配置されている。
【００１９】
蓋体２２は、照明バルブＬが発する光が透過するように透過性を有する合成樹脂から構成されている。この蓋体２２は、操作ユニット３の押圧操作部４１Ａ、４１Ｂを露出させる開口部を有して構成されている。支持体２３は、蓋体２２の開口部を囲うように、蓋体２２に筒状に立設形成されている。この支持体２３には、操作ユニット３を軸支する軸支部２５と、ハウジング８を係止するケース係止孔２６と、が設けられている。
【００２０】
操作ユニット３は、押圧操作部４１Ａ、４１Ｂが形成された合成樹脂製のノブ本体４と、ノブ本体４に取り付けられるコンタクト５と、ノブ本体４とコンタクト５との間に設けられ、コンタクト５を一対の電極７Ａ、７Ｂに向けて付勢する付勢部材としてのコイルばね６と、を備えて構成されている。
【００２１】
ノブ本体４は、略板状に形成され、蓋体２２の開口から露出する表面に押圧操作部４１Ａ、４１Ｂが形成された基部４１と、基部４１の裏面から立設されたコイルばね６を支持するばね支持部４２と、ばね支持部４２を囲むように基部４１から筒状に突設された周壁４３と、周壁４３から突出し、ケース体２の軸支部２５に支持される揺動軸４４と、周壁４３から押圧操作部４１Ａ、４１Ｂの揺動方向Ｙ１両側に向かって突設された弾性変形部としての樹脂バネ部４５Ａ、４５Ｂと、を備えている。
【００２２】
押圧操作部４１Ａ、４１Ｂは、基部４１の表面において揺動軸４４を挟んだ揺動方向Ｙ１の両側にそれぞれ隆起して設けられている。ばね支持部４２は、基部４１の裏面に棒状に立設形成されている。このばね支持部４２は、コイルばね６の中心軸に挿入可能な棒状に形成されていて、コイルばね６の一端に挿入された状態で、当該コイルばね６を支持している。周壁４３には、コンタクト５に形成されたコンタクト係止片５４を係止する一対のノブ係止孔４６が形成されている。一対のノブ係止孔４６は、揺動方向Ｙ１に対向するように形成されている。このようなノブ本体４が、揺動軸４４を中心として支持体２３に軸支されることにより、支持体２３に対して揺動可能に設けられている。
【００２３】
樹脂バネ部４５Ａ、４５Ｂは、周壁４３の基部４１から離れた側の端部から突出して設けられ、その先端が基部４１側に向けてＵターンするように設けられている。図４に示すように、揺動方向Ｙ１一方側の押圧操作部４１Ｂを押してノブ本体４を揺動させると、揺動方向Ｙ１他方側に突出された樹脂バネ部４５Ａが後述するハウジング８の第２当接部８５Ａに当接する。また、図８に示すように、揺動方向Ｙ１他方側の押圧操作部４１Ａを押してノブ本体４を揺動させると揺動方向Ｙ１一方側に突出された樹脂バネ部４５Ｂが後述するハウジング８の第２当接部８５Ｂに当接する。このノブ本体４の樹脂バネ部４５Ａ、４５Ｂとハウジング８の第２当接部８５Ａ、８５Ｂとの当接により、ノブ本体４の揺動範囲が規制される。
【００２４】
コンタクト５は、図２、図４などに示すように、導電性の金属板がＵ字状を成すように中心部（以下、先端部５０と記す）で曲げられて形成されたものであり、先端部５０と、先端部５０から離れるに従って互いに離れる方向に傾斜する一対の傾斜板５１Ａ、５１Ｂと、一対の傾斜板５１Ａ、５１Ｂの先端部５０から離れた側にそれぞれに連続され、互いに平行な一対の対向板５２Ａ、５２Ｂと、コイルばね６の他端が固定されるバネ受け５３と、を備えている。
【００２５】
先端部５０は、図２に示すように、揺動軸４４の軸方向Ｙ２に沿って２つ並べて設けられている。各対向板５２Ａ、５２Ｂには、該対向板５２Ａ、５２Ｂの一部が外側に切り起こされることで形成されて、ノブ本体４のノブ係止孔４６に係止されるコンタクト係止片５４が設けられている。バネ受け５３は、この先端部５０と先端部５０との間を切り起こしてコイルばね６の付勢方向Ｙ３と垂直に設けられている。
【００２６】
上述した構成の操作ユニット３によれば、コイルばね６によりコンタクト５がノブ本体４の基部４１に対して接離自在に支持される。
【００２７】
一対の電極７Ａ、７Ｂは、略同一形状及び同一機能を有して構成されたものであり、板金に打ち抜き加工や曲げ加工が施されることで形成されている。電極７Ａは、図４に示すように、後述するハウジング８の節度山８２を中心とした揺動方向Ｙ１一方側に配置され、押圧操作部４１Ｂが押圧された際に、コンタクト５に接触されるように配置される。電極７Ｂは、図８に示すように、節度山８２を中心とした揺動方向Ｙ１他方側に配置され、押圧操作部４１Ａが押圧された際に、コンタクト５に接触されるように構成されている。
【００２８】
各電極７Ａ、７Ｂは、図２などに示すように、揺動軸４４の軸方向Ｙ２に延在する長尺状に形成されている。各電極７Ａ、７Ｂは、略中央に設けられたコンタクト５が接触される電気接触部７１と、電気接触部７１の軸方向Ｙ２一方側に連続されて電源が供給される電源端子７２と、電気接触部７１の軸方向Ｙ２他方側に連続されて照明バルブＬが接続されるバルブ接続部７３と、を備えている。
【００２９】
ハウジング８は、合成樹脂などの絶縁部材から構成されている。ハウジング８は、電極７Ａ、７Ｂが搭載され、軸方向Ｙ２に長尺に形成される基壁８０と、この基壁８０の揺動方向Ｙ１の両縁から立設される一対の立設片８１Ａ、８１Ｂと、を備えて断面が略コ字状になるように形成されている。
【００３０】
基壁８０には、図４などに示すように、コンタクト５に向けて突出形成された節度山８２が形成されている。この節度山８２は、軸方向Ｙ２に沿って設けられ、電極７Ａ、７Ｂよりもコンタクト５側に向かって突出している。このような基壁８０には、節度山８２を挟んだ揺動方向Ｙ１両側に、各電極７Ａ、７Ｂの電気接触部７１が設置される。
【００３１】
一対の立設片８１Ａ、８１Ｂには、ケース体２のケース係止孔２６に係止されるハウジング係止片８３が設けられている。このハウジング係止片８３をケース体２のケース係止孔２６に係止させて、ケース体２にハウジング８を取り付けると、コンタクト５と電極７Ａ、７Ｂとが接触する。このようにコンタクト５と電極７Ａ、７Ｂとを接触させると、コイルばね６が縮み、コイルばね６によりコンタクト５が電極７Ａ、７Ｂに向かって付勢される。
【００３２】
次に、上述した操作ユニット３とハウジング８との詳細について、スイッチユニット１の動作説明を交えながら説明する。図４に示す状態では、押圧操作部４１Ｂが押圧されていて、コンタクト５が電極７Ａに接触している。このとき、コンタクト５の傾斜板５１Ｂと節度山８２とが接し、コイルばね６の付勢力によりコンタクト５には、先端部５０を節度山８２から離れた側に揺動させる力が加えられている。一方、コンタクト５の対向板５２Ａとノブ本体４の周壁４３に設けた第１当接部４７Ａとが当接し、さらにノブ本体４に設けた樹脂バネ部４５Ａとハウジング８の立設片８１Ａに設けた第２当接部８５Ａとが当接している。このとき、樹脂バネ部４５Ａは先端側が周壁４３に近づく方向に変形しており、この樹脂バネ部４５Ａの付勢力によりコンタクト５には、先端部５０を節度山８２に向かって揺動させる力が加えられている。図４に示す状態では、上述したコンタクト５に加えられる節度山８２から離れた側に向かって揺動させる力と、節度山８２に向かって揺動させる力と、がつり合い、コンタクト５が停止している。
【００３３】
次に、押圧操作部４１Ａを押圧すると、ノブ本体４が揺動し、図５に示すように、ノブ本体４に取り付けられたコンタクト５の先端部５０が節度山８２に近づく。さらに、押圧操作部４１Ａを押圧すると、コンタクト５が節度山８２を乗り上げて、電極７Ａから離れる。さらに、押圧操作部４１Ａを押圧すると、図６に示すように、コンタクト５の先端部５０が節度山８２の頂部に達する。このとき、コイルばね６が最も縮む。
【００３４】
コンタクト５の先端部５０が節度山８２の頂部を乗り越えると、図７に示すように、節度山８２が傾斜板５１Ａに接触し、コイルばね６の付勢力により、コンタクト５には節度山８２から離れる側に向かう力が加えられる。これにより、コンタクト５の先端部５０が、ばね支持部４２の中心軸よりも揺動方向Ｙ１一方側に傾き、コンタクト５の対向板５２Ｂとノブ本体４の周壁４３に設けた第１当接部４７Ｂとが当接する。このとき、ノブ本体４に設けた樹脂バネ部４５Ｂとハウジング８の立設片８１Ｂに設けた第２当接部８５Ｂとが当接する。また、このとき図７（Ｃ）に示すように、コンタクト５と電極７Ｂとの間にはクリアランスＣが設けられ、コンタクト５と電極７Ｂとが接触する前である。
【００３５】
ノブ本体４に設けた樹脂バネ部４５Ｂがハウジング８の第２当接部８５Ｂに当接することにより、ノブ本体４に設けた第１当接部４７Ｂがコンタクト５を節度山８２に向けて付勢する力が発生する。このため、コイルばね６の付勢力によるコンタクト５の節度山８２から離れる側の力が相殺され、コンタクト５が節度山８２の頂部を乗り越えた後、ゆっくり電極７Ｂに近づくため、コンタクト５と電極７Ｂとの衝突が緩和される。その後、図８に示すように、樹脂バネ部４５Ｂは、コンタクト５の先端部５０が節度山８２から離れるほど弾性変形し付勢力が高くなり、樹脂バネ部４５Ｂによるコンタクト５の先端部５０を節度山８２に向かって揺動させる力と、コイルばね８によるコンタクト５の先端部５０を節度山８２から離れた側に向かって揺動させる力とが釣り合う位置でコンタクト５が停止する。
【００３６】
次に、押圧操作部４１Ｂを押圧すると、ノブ本体４が揺動し、図７に示すように、ノブ本体４に取り付けられたコンタクト５の先端部５０が節度山８２に近づく。さらに、押圧操作部４１Ｂを押圧すると、コンタクト５が節度山８２を乗り上げて、電極７Ｂから離れる。さらに、押圧操作部４１Ｂを押圧すると、図６に示すように、コンタクト５の先端部５０が節度山８２の頂部に達する。このとき、コイルばね６が最も縮む。
【００３７】
コンタクト５の先端部５０が節度山８２の頂部を乗り越えると、図５に示すように、節度山８２が傾斜板５１Ｂに接触し、コイルばね６の付勢力により、コンタクト５には節度山８２から離れる側に向かう力が加えられる。これにより、コンタクト５の先端部５０が、ばね支持部４２の中心軸よりも揺動方向Ｙ１他方側に傾き、コンタクト５の対向板５２Ａとノブ本体４の周壁４３に設けた第１当接部４７Ａとが当接する。このとき、ノブ本体４に設けた樹脂バネ部４５Ａとハウジング８の立設片８１Ａに設けた第２当接部８５Ａとが当接する。また、このとき、コンタクト５と電極７Ａとの間にはクリアランスが設けられ、コンタクト５と電極７Ａとが接触する前である。
【００３８】
ノブ本体４に設けた樹脂バネ部４５Ａがハウジング８の第２当接部８５Ａに当接することにより、ノブ本体４に設けた第１当接部４７Ａがコンタクト５を節度山８２に向けて付勢する力が発生する。このため、コイルばね６の付勢力によるコンタクト５の節度山８２から離れる側の力が相殺され、コンタクト５が節度山８２の頂部を乗り越えた後、ゆっくり電極７Ａに近づくため、コンタクト５と電極７Ａとの衝突が緩和される。その後、図４に示すように、樹脂バネ部４５Ａは、コンタクト５の先端部５０が節度山８２から離れるほど弾性変形し付勢力が高くなり、樹脂バネ部４５Ａによるコンタクト５の先端部５０を節度山８２に向かって揺動させる力と、コイルばね８によるコンタクト５の先端部５０を節度山８２から離れた側に向かって揺動させる力とが釣り合う位置でコンタクト５が停止する。
【００３９】
上述した第１実施形態によれば、第１当接部４７Ａ、４７Ｂ及び第２当接部８５Ａ、８５Ｂが請求項中の付勢手段を構成している。この第１当接部４７Ａ、４７Ｂ及び第２当接部８５Ａ、８５Ｂにより、ノブ本体４を揺動させて、コンタクト５が節度山８２の頂部を乗り越えた後ハウジング８に接触する前に、コンタクト５を節度山８２に向けて付勢することができる。これにより、コイルばね６によるコンタクト５と電極７Ａ、７Ｂの衝突時の衝撃を和らげ、打音の発生を抑えることができる。
【００４０】
また、上述した第１実施形態によれば、第１当接部４７Ａ、４７Ｂが、ノブ本体４に設けられ、コンタクト５の節度山８２の頂部を乗り越えた後電極７Ａ、７Ｂに接する前に、コンタクト５に当接する。また、第２当接部８５Ａ、８５Ｂが、ハウジング８に設けられ、ノブ本体４を揺動させたとき、ノブ本体４に当接し、ノブ本体４に設けた第１当接部４７Ａ、４７Ｂがコンタクト５を節度山８２に向けて付勢するように、ノブ本体４を付勢している。これにより、簡単な構成でコンタクト５を節度山８２に向けて付勢することができる。
【００４１】
また、上述した第１実施形態によれば、ノブ本体４においてハウジング８に設けた第２当接部８５Ａ、８５Ｂに当接する部分に、樹脂バネ部４５Ａ、４５Ｂが設けられている。これにより、より一層、コイルばね６によるコンタクト５と電極７Ａ、７Ｂの衝突時の衝撃を和らげ、打音の発生を抑えることができる。また、樹脂バネ部４５Ａ、４５Ｂの弾性変形を調整することで、ノブ本体４の停止位置とスイッチ操作のフィーリングを調整することが可能となる。
【００４２】
（第２実施形態）
次に、第２実施形態について図９〜図１３を参照して説明する。上述した第１実施形態では、樹脂バネ部４５Ａ、４５Ｂをノブ本体４に設けていたが、これに限ったものではない。例えば、図９〜図１３に示すように、ハウジング８に樹脂バネ部８６Ａ、８６Ｂを設け、樹脂バネ部８６Ａ、８６Ｂがノブ本体４に当接するようにしてもよい。樹脂バネ部８６Ａ、８６Ｂは、ハウジング８の立設片８１Ａ、８１Ｂからノブ本体４の周壁４３に向かって突出している。この場合も、第１実施形態と同様に、ノブ本体４を揺動させると、節度山８２の頂部を乗り越えた後電極７Ａ、７Ｂに接触する前に、コンタクト５とノブ本体４に設けた第１当接部４７Ａ、４７Ｂが当接すると共に、ノブ本体４とハウジング８の樹脂バネ部８６Ａ、８６Ｂが当接して、コンタクト５が節度山８２に向かって付勢される。
【００４３】
また、ノブ本体４の第１当接部４７Ａ、４７Ｂに樹脂バネ部を設けてもよいし、コンタクト５の第１当接部４７Ａ、４７Ｂと当接する部分に板バネ部を設けてもよい。
【００４４】
また、上述した第１、第２実施形態では、ノブ本体４と当接する第２当接部８５Ａ、８５Ｂはハウジング８に設けていたが、これに限ったものではない。例えば、ノブ本体４と当接する第２当接部８５Ａ、８５Ｂを支持体２３に設けてもよい。
【００４５】
また、上述した第１、第２実施形態では、付勢手段が第１当接部４７Ａ、４７Ｂと第２当接部８５Ａ、８５Ｂとから構成されていたが、これに限ったものではない。例えば、コンタクト５が直接ハウジング８や支持体２３に当接して、付勢力が発生するようにしてもよい。
【００４６】
また、上述した第１、第２実施形態によれば、ハウジング８と支持体２３とを別体に設けていたが、これに限ったものではない。支持体２３とハウジング８とを一体に形成するようにしてもよい。また、支持体２３は、蓋体２２に一体に形成されていたが、これに限ったものではない。支持体２３と蓋体２２とを別体に設けてもよい。
【００４７】
また、上述した第１、第２実施形態によれば、ハウジング８には、節度山８２を挟んだ揺動方向Ｙ１両側に電極７Ａ、７Ｂが設けられていたが、これに限ったものではない。節度山８２の揺動方向Ｙ１の何れか一方側に電極を配置すればよく、他方側に電極が配置されなくてもよい。
【００４８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４９】
１  スイッチユニット
４  ノブ本体
５  コンタクト（ノブ側電極）
６  コイルばね（付勢部材）
７Ａ、７Ｂ  電極（ハウジング側電極）
８  ハウジング
２３  支持体
４５Ａ、４５Ｂ  樹脂バネ部（弾性変形部）
４７Ａ、４７Ｂ  第１当接部（付勢手段）
８２  節度山
８５Ａ、８５Ｂ  第２当接部（付勢手段）
８６Ａ、８６Ｂ  樹脂バネ部（弾性変形部）
Ｙ１  揺動方向
【図１】
2016054090.tif 000003
【図２】
2016054090.tif 000004
【図３】
2016054090.tif 000005
【図４】
2016054090.tif 000006
【図５】
2016054090.tif 000007
【図６】
2016054090.tif 000008
【図７】
2016054090.tif 000009
【図８】
2016054090.tif 000010
【図９】
2016054090.tif 000011
【図１０】
2016054090.tif 000012
【図１１】
2016054090.tif 000013
【図１２】
2016054090.tif 000014
【図１３】
2016054090.tif 000015
【図１４】
2016054090.tif 000016